(57)【要約】掘削装置の建設を容易化する。【解決手段】自己組立式掘削装置は掘削作業架台上に配置されるようになっており、油圧ジャッキ及びレールを有する。掘削装置構造体は積み重ねられた相互結合するモジュールから構成され、各モジュールは泥水ポンプ、泥水タンク及びパワーパックのような井戸装置が予め取付けられる開放領域を有する。レールは掘削作業架台上に配置され、モジュールを油圧ジャッキまで案内する。同様に、掘削作業架台上に固定された油圧ジャッキはモジュールと離脱可能に係合し、それを引上げるように構成される。配置中において、ジャッキはモジュールと係合して、それを所定の高さまで引上げる。係合されたモジュールが吊り下げられている間、他のモジュールがその下まで摺動される。二つのモジュールが相互結合した後に、ジャッキはこのプロセスを繰返す。【選択図】図１
2004530816.tif 000002
【特許請求の範囲】
【請求項１】
井戸を掘削する掘削装置であって、
複数のモジュール式構造部材と、
モジュール式構造部材を第１の位置から第２の位置へ移送する一組のレールと、
モジュール式構造部材を上方へ動かす少なくとも一つの油圧ジャッキと、
を有し、油圧ジャッキは、モジュール式構造部材が互いに隣接して積み重なるように、他のモジュール式構造部材を上方へ動かされたモジュール式構造部材の下に挿入させるようになっている掘削装置。
【請求項２】
複数のモジュール式構造部材のそれぞれが、
上部フレームと、後部フレームと、下部フレームと、内側フレームと、複数の側面フレームと、
を有し、それらのフレームが内部開放空間を形成するようになっている請求項１に記載の掘削装置。
【請求項３】
内部開放空間は井戸装置を受容するようになっている請求項２に記載の掘削装置。
【請求項４】
井戸装置は、限定的ではないが、下記のグループ、すなわち、監視要員室、アキュムレータ、油圧パワーパック、泥水ポンプ又は泥水タンクの一つ以上を含む請求項３に記載の掘削装置。
【請求項５】
複数のモジュール式構造部材のそれぞれは少なくとも一つの引上げパッドをさらに有する請求項１に記載の掘削装置。
【請求項６】
少なくとも一つの引上げパッドは油圧ジャッキと係合する内腔を含む請求項５に記載の掘削装置。
【請求項７】
少なくとも一つの油圧ジャッキは、
ハウジングと、
引上げ装置と、
複数のモジュール式構造部材上の引上げパッドと係合する引っ込み可能な結合ロッドと、
をさらに有する請求項５に記載の掘削装置。
【請求項８】
複数のモジュール式構造部材のそれぞれは、
上部フレーム上の外側コーナー部と、
下部フレーム上の外側コーナー部と、
雌形接続部材と、
雄形接続部材と、
を有し、雌形接続部材の一つが上部フレーム上の外側コーナー部それぞれにあり、雄形接続部材の一つが下部フレーム上の外側コーナー部それぞれにあり、また、一つのモジュール式構造部材上の雄形接続部材が他のモジュール式構造部材上の雌形接続部材と離脱可能に係合するように、雄形接続部材は雌形接続部材と一致するようになっている請求項２に記載の掘削装置。
【請求項９】
井戸を掘削する掘削装置であって、
複数のモジュール式構造部材と、
モジュール式構造部材を第１の位置から第２の位置へ移送する手段と、
モジュール式構造部材を上方へ動かす手段と、
を有し、モジュール式構造部材を上方へ動かす手段は、モジュール式構造部材が第２の位置において互いに隣接して積み重なるように、他のモジュール式構造部材を上方へ動かされたモジュール式構造部材の下に挿入させるようになっている掘削装置。
【請求項１０】
モジュール式構造部材を移送する手段は一組のレールを有する請求項９に記載の掘削装置。
【請求項１１】
レールはＩビーム断面を有する請求項１０に記載の掘削装置。
【請求項１２】
複数のモジュール式構造部材のそれぞれが、
上部フレームと、後部フレームと、下部フレームと、内側フレームと、複数の側面フレームと、
をさらに有し、それらのフレームが内部開放空間を形成するようになっている請求項９に記載の掘削装置。
【請求項１３】
内部開放空間は井戸装置を受容するようになっている請求項１２に記載の掘削装置。
【請求項１４】
井戸装置は、限定的ではないが、下記のグループ、すなわち、監視要員室、アキュムレータ、油圧パワーパック、泥水ポンプ又は泥水タンクの一つ以上を有する請求項１３に記載の掘削装置。
【請求項１５】
複数のモジュール式構造部材のそれぞれはモジュール式構造部材を上方へ動かす手段と係合する手段をさらに有する請求項９に記載の掘削装置。
【請求項１６】
モジュール式構造部材を上方へ動かす手段と係合する手段は内腔を有する少なくとも一つの引上げパッドを有する請求項１５に記載の掘削装置。
【請求項１７】
モジュール式構造部材を上方へ動かす手段は少なくとも一つの油圧ジャッキを有する請求項９に記載の掘削装置。
【請求項１８】
油圧ジャッキは、
ハウジングと、
引上げ装置と、
複数のモジュール式構造部材上の引上げパッドの内腔と係合する引っ込み可能な結合ロッドと、
をさらに有する請求項１７に記載の掘削装置。
【請求項１９】
複数のモジュール式構造部材のそれぞれは隣接するモジュール式構造部材と離脱可能に係合する手段をさらに有する請求項１２に記載の掘削装置。
【請求項２０】
隣接するモジュール式構造部材と離脱可能に係合する手段は、
上部フレーム上の外側コーナー部と、
下部フレーム上の外側コーナー部と、
雌形接続部材と、
雄形接続部材と、
を有し、雌形接続部材の一つが上部フレーム上の外側コーナー部それぞれにあり、雄形接続部材の一つが下部フレーム上の外側コーナー部それぞれにあり、また、一つのモジュール式構造部材上の雄形接続部材が他のモジュール式構造部材上の雌形接続部材と離脱可能に係合するように、雄形接続部材は雌形接続部材と一致するようになっている請求項１９に記載の掘削装置。
【請求項２１】
井戸を掘削する構造体であって、
第１のフレームと、
前記第１のフレームを上方へ動かすために、前記第１のフレームへ離脱可能に装着される引上げ部材と、
第２のフレームと、
前記第２のフレームを前記第１のフレームの下に動かす移動部材と、
を有する構造体。
【請求項２２】
前記第１及び第２のフレームを結合する結合部材をさらに有する請求項２１に記載の構造体。
【請求項２３】
掘削装置構造体を組立てる方法であって、
第１のフレームを上方へ動かす段階と、
前記第１のフレームの下に第２のフレームを動かす段階と、
前記第１のフレームを前記第２のフレーム上に降ろす段階と、
を有する方法。
【請求項２４】
第１及び第２のフレームを上方へ動かす段階と、
前記第１及び第２のフレームの下に第３のフレームを動かす段階と、
前記第１及び第２のフレームを前記第３のフレーム上に降ろす段階と、
をさらに含む請求項２３に記載の方法。
【発明の詳細な説明】
【０００１】
関連出願の相互参照
本出願は、２０００年１２月１５日に出願された「自己組立式掘削装置」という名称の米国法典第３５巻１１１（ｂ）に基づく仮出願第６０／２５６，０４９号の利益を主張し、さらに、２０００年１２月１５日に出願された「ＣＴ掘削装置」という名称の米国特許出願第０９／７３９，０７２号に関連している。これら両出願はここにおいて文献援用されている。
連邦政府によって援助された研究又は開発についての陳述
該当なし
【０００２】
発明の背景
発明の分野
本発明は井戸の建設及び改修の作業に役立つようになっている掘削装置に関する。特に、本発明は自己組立式掘削装置に関する。他の態様においては、本発明は井戸装置を支持及び収納するように構成されるモジュール式構造部材を有する自己組立式掘削装置に関する。
【０００３】
関連技術の説明
石油又はガスの埋蔵物を費用効果的に生産するには、掘削及び完成のシステム及び方法を経済的に有効利用する地上における支援及び管理のシステムがある程度必要になる。従来技術の掘削装置は固有の欠点を有する。その欠点とは、新しい井戸を建設したり既存の井戸を改修するために、掘削及び完成システムを利用すると、費用効果性を低下させるというものである。以下に検討する欠点は海洋掘削作業架台に関したものであるが、これらの欠点は他の作業状況においても見出すことができる。
【０００４】
先ず、従来技術の掘削装置を利用する井戸作業は甲板空間のかなりの規模を占める傾向がある。標準的には、浮上掘削作業架台は厳しい海洋環境において数十年の使用に耐えるように設計される大形構造物である。これらの海洋掘削作業架台の巨大な全体の大きさにもかかわらず、一定の海洋掘削作業架台の甲板は種々の井戸装置で混雑することがある。甲板空間の不足が装置の作業順序又は選定における任意選択を制限することがあるので、通常、掘削作業架台甲板上の装置の総数を最小にすることが望ましい。従来技術の掘削装置は泥水タンク、パワーパック、泥水ポンプ、噴出防止装置アキュムレータ及び他の装置と連係して配置される。この井戸装置は、通常、従来技術の掘削装置に隣接して位置決めされる。このように、掘削装置及び関連する井戸装置は比較的大きい「占有面積（ｆｏｏｔｐｒｉｎｔ）」を有し、これによって、利用できる甲板空間の規模が少なくなる。
【０００５】
また、従来技術の掘削装置及び関連する井戸装置の組立は手間がかかるだけでなく厳しい作業である。従来技術の掘削装置及び関連する井戸装置は海洋設備において部材ずつ組立てられるのが普通である。この作業は、通常、数百回までの個別の「引上げ作業」を必要とする。すなわち、井戸装置それぞれの部材を、最終設置前に、時間をかけて引き上げて取扱いしなければならない。さらに、海洋掘削作業架台は一般用の専用クレーンを有することができるが、従来技術の掘削装置及び関連する井戸装置の嵩張った構成部材を引き上げて取扱うために、通常、「リープフロッグ（ｌｅａｐｆｒｏｇ）」クレーンが必要になる。このため、従来技術の掘削装置の建設は井戸作業の全体の費用効果性を低下させる。
本発明は、従来技術のこれら及び他の欠点を克服する。
【０００６】
【特許文献１】
米国特許出願第０９／７３９，０７２号明細書
【０００７】
好ましい実施形態の概要
本発明の好ましい実施形態は、掘削作業架台上で配置されるようになっている掘削装置を有するとともに油圧ジャッキ及びレールを有する。掘削装置構造物は、隣接するモジュールを相互結合するために、自己ラッチ機構を組込んだ積み重ねモジュールを有する。それらのモジュールは開放領域を有し、その領域は、泥水ポンプ、泥水タンク及びパワーパックのような井戸装置を収納するために、それらの構造物内に設けられる。この井戸装置は、海洋設備へ出荷する前に、モジュール式構造部材へ予め嵌め込まれる。それらのレールは掘削作業架台上に配置され、モジュールを油圧ジャッキへ案内する。掘削作業架台上に固定される油圧ジャッキはモジュールと離脱可能に係合し、それを持ち上げる。
配置中において、第１のモジュールがレール上に載置され、油圧ジャッキまで搬送される。油圧ジャッキは、作動されると、第１のモジュールと係合し、それを所定の高さまで引き上げる。ついで、第２のモジュールが第１のモジュールの下方へ摺動させられる。次に、油圧ジャッキは第１のモジュールを第２のモジュール上に降ろす。第１のモジュールが第２のモジュール上に着座すると、自己ラッチ機構は二つのモジュールをいっしょに結合する。その後に、油圧ジャッキは第１のモジュールを解放して、その初期位置まで戻り、第２のモジュールと係合して、第１及び第２のモジュールを引き上げる。第３のモジュールが、第１及び第２のモジュールの下方へ摺動させられて、このプロセスが繰返される。
【０００８】
このようにして、この好ましい実施形態は従来装置の種々の問題を克服することができる特徴及び利点の組合せから構成される。上述の種々の特性及び他の特徴は、添付図面を参照して説明された本発明の好ましい実施形態の下記の詳細な説明を読めば、当業者にとって容易に明らかになるであろう。
【０００９】
好ましい実施形態の詳細な説明
本発明の好ましい態様の詳細な説明のために、ここで添付図面を参照する。
本発明に従って製造された掘削装置の好ましい実施形態は、海洋又は地上における炭化水素物質の探査及び採掘を実施するために建設された掘削作業架台上で使用できる。この好ましい掘削装置はワイヤーライン、作業掘削パイプ及び他のチューブ状導管の地下坑井中への導入を容易にする。この好ましい掘削装置はボトムホールアセンブリ（ＢＨＡ）の有効な配置及び作業もできる。しかしながら、簡単にするために、本発明の実施形態は海洋掘削作業架台を参照して説明される。ここで、図１を参照すると、甲板１２及びスキッド１４を有する海洋掘削作業架台１０が示される。スキッド１４上に固定される（例えば、ボルト締めされる）好ましい掘削装置１００は、モジュール２００、レール３００及びジャッキ４００を有する。明瞭にするために、井戸掘削作業架台上に標準的に設けられる種々の装置、設備及び付属構成部材は図１には示されない。これらの物品には、発電機、油圧ポンプ及びホース、電気ケーブル、データ通信ワイヤ、居住領域、保管設備及び他の装置構成部材及び設備が含まれる。これらは、当業者にとって周知のものである。
【００１０】
ここで図２Ａを参照すると、モジュール２００は、好ましくは、予め組み立てられた標準モジュール式構造部材である。この構造部材には装置を予め取付けることができる。モジュール２００は後部フレーム２０２、上部フレーム２０４、下部フレーム２０６、内側フレーム２０８及び側面フレーム２１０を有する。モジュール２００の代表的な寸法は幅３０フィート、長さ３０フィート及び高さ１０フィートであろう。当業者であれば分るように、モジュール２００は殆ど全ての所望の寸法に形成できるし、任意の数の許容されるフレーム構造部材を使用できる。最終的に使用される構造は井戸装置を収納するのに適した保管領域を形成するのが好ましい。同時係属出願、すなわち、２０００年１２月１５日に出願された「ＣＴ掘削装置」という名称の米国出願第０９／７３９，０７２号はモジュール設計の実施形態を開示している。この出願は全ての目的のためにここに文献援用されている。
【００１１】
内側フレーム２０８は掘削装置１００の開放通路１０２（図１）を形成する開放昇降通路を形成する。内側フレーム２０８は基体も形成し、その基体に対しては、動力アームのような井戸装置を吊り下げできる。そのような装置は、同時係属米国出願、すなわち、「ＣＴ掘削装置」という名称の米国特許出願第０９／７３９，０７２号に記載される。ここで図２Ｂを参照すると、側面フレーム２１０にはそれぞれ引上げパッド２１４が設けられる。一つの引上げパッド２１４がそれぞれの側面フレーム２１０の下部コーナー部へ溶接等で固定されている。それぞれの引上げパッド２１４は下記の方法でジャッキ４００（図１）と相互結合するための内腔２１６を有する。引上げパッド２１４はモジュール２００上の任意の位置に位置決めできることが理解できよう。
【００１２】
図２Ｂをさらに参照すると、モジュール２００は自己作動ラッチ２１８も有する。自己作動ラッチ２１８は、上部フレーム２０４の四つの外側寄りのコーナー部上に配置された雌形接続部材２２０と、下部フレーム２０６の四つの外側寄りのコーナー部上に配置された雄形接続部材２２２とを有する。モジュール２００は積み重ね可能であるので、自己作動ラッチ２１６は、好ましくは、ＩＳＯ９０００準拠であり、積み重ねられた保管容器を縦に固定するのに使用されるラッチ機構を規制できる他の該当する規格へ合致する。一つの代表的なラッチ構造は、雄形接続部材として指状部材を使用でき、雌形接続部材として相補的にキー止めされたスロットを使用できる。指状部材にはキー止めされるスロット内の突出部すなわちリップと係合するフック掛け端部を設けることができる。いずれにしても、当業者であれば、任意の数のラッチ構造が適していることが分るであろう。
【００１３】
図２Ａを再度参照すると、モジュール２００は井戸装置を収容するようになっている内部開放空間を有している。装置の型式は手近にある井戸の建設作業又は改修作業の特徴に応じて変わることがあるが、モジュール２００用の井戸装置の代表的な配置は下記の通りである。当業者は上述の装置に精通しているであろうと思われるので、この装置は図に示されない。ここで図１を参照すると、第１のモジュール２３０は監視要員室を有することができる。監視要員室は井戸建設作業及び生産作業に必要な警報器、制御盤、通信システム及び他の計器装備を収納できる。第２のモジュール２４０には、噴出防止装置（ＢＯＰ）スタックを支持するために、アキュムレータのような装置及び工具設備を取付けできる。第３のモジュール２５０には、井戸作業を支援するための油圧ポワーパックを取付けできる。第４のモジュール２６０には泥水ポンプを取付けできる。第５のモジュール２７０には掘削流体を供給する泥水タンクを取り付けることができる。この装置の全ては、海洋掘削作業架台１０へ出荷される前に、それらの対応するモジュール２００に予め嵌め込まれる。このように、モジュール２００は井戸作業中にサポート構造体として機能するばかりではなく、井戸装置の移送、引上げ及び取扱いを容易にする保管容器としても機能する。
【００１４】
レール３００はモジュール２００を掘削装置１００へ移送する案内部材を形成する。レール３００は、好ましくは、荷揚げ位置レール３０２から掘削装置通路１０２内へ延びるＩビームである。レール３００はサポート表面を形成する。このサポート表面はトロリーのような他の引上げ及び取扱い装置がモジュール２００を動かすことを可能にする。また、レール３００は変更可能であり、モジュール２００を独自に動かすプーリー、チェ―ン、ローラ又はベルトのような装置を取り付けることができる。
【００１５】
ここで図１及び３を参照すると、ジャッキ４００は、掘削装置の組立／分解作業中に、協働してモジュール２００を引上げ／降下させる。好ましくは、二つのジャッキ４００がそれぞれのスキッド１４へ固定される。ただし、モジュール２００の重量及び安定性のような要因に応じて、それより多いか又は少ないジャッキ４００を使用できる。それぞれのジャッキはハウジング４０２、引上げ装置４０４及び引っ込み可能な結合ロッド４０６を有する。ハウジング４０２は周囲装置との接触で生じる損傷からジャッキ４００の内部を保護し、また、ジャッキ４００との偶然の接触で生じる傷害から掘削装置作業員を保護する。油圧引上げ装置４０４は加圧油圧流体によって作動される既知のピストン−シリンダ装置とすることができる。油圧流体は海洋設備上で通常利用できるので、油圧力が引上げ装置４０４を作動するのが好ましい。油圧流体を利用できない場合、引上げ装置４０４は電気のような他の動力源を使用するように適合させることができる。例えば、ウオームギヤへ連結される電動機を引上げ機構として使用もできる。引っ込み可能な結合ロッド４０６が引上げ装置４０４の端部へ固定されている。結合ロッド４０６は、作動されると、「Ｅ」として表示される突出位置と、「Ｒ」として表示される引っ込み位置との間で移動する。作動は既知の油圧回路又は既知の電気機械手段によって達成できる。突出位置「Ｅ」においては、結合ロッド４０６は引上げパッド２１４の内腔２１６（図２Ｂ）へ入る。結合ロッド４０６及び引上げパッド２１４（図２Ｂ）の代わりに、任意の数の係合機構を使用できることは理解できよう。例えば、結合ロッド４０６の代わりに引っ込み可能なパレット（図示されない）を使用することによって、引上げパッド２１４は不要にできる。引っ込み可能なパレットはモジュール下部フレーム２０６（図２Ａ）が載置されるサポート表面を単に形成する。
【００１６】
ここで図３を参照すると、引上げ装置４０４は、好ましくは、少なくともモジュールの高さに別の間隙距離を加えた高さまで、モジュール２００を上方へ動かす。例えば、１０フィート高さのモジュールの場合、引上げ装置４０４はモジュール２００（図１）を約１２フィート上方へ動かす。すなわち、引上げ装置４０４は、この例において、約１２フィートの行程を有する。引上げ装置４０４は「Ａ」、「Ｂ」及び「Ｃ」として表示される三つの静止位置も有する。静止位置「Ａ」は引上げ装置４０４の最低予備上昇位置を表す。仮想線で示された引上げ装置４０４は、その全行程間隔において静止位置「Ｃ」になる。同じく仮想線で示された引上げ装置４０４は、一つのモジュール２００を下方にある他のモジュール２００上に設定するときは、静止位置「Ｂ」になる。
【００１７】
上述の実施形態の好ましい配置においては、モジュール２００のそれぞれには、装置の特定の機器、例えば、泥水タンク、泥水ポンプ、油圧パワーパック、ＢＯＰアキュムレータ及び監視端末が取付けられる。はしけのような移送手段がこれらのモジュールのそれぞれを海洋設備へ移送する。海洋設備のクレーンは、一連の引上げ装置において、モジュール２００のそれぞれを移送手段から最終的にレール３００の荷揚げ位置まで動かす。それぞれのモジュール２００について、下記の連続する段階が実施される。トロリーがモジュール２００をレール３００に沿って掘削装置通路１０２内へと動かす。モジュール引上げパッド２１４が一旦ジャッキ４００と整合されると、結合ロッド４０６は、作動されたとき、その突出位置「Ｅ」まで伸びて、モジュール引上げパッド２１４と係合する。ここで、ジャッキ４００へ固定されたモジュール２００は位置「Ａ」から位置「Ｃ」まで引き上げられる。このモジュール２００が位置「Ｃ」で吊り下げられた状態で、他のモジュール２００は掘削装置通路１０２内へ摺動される。この二つのモジュールの雄形及び雌形のラッチ機構２１８が整合されるのを確認した後に、吊り下げられたモジュール２００は位置「Ｃ」から位置「Ｂ」まで降ろされる。吊り下げられたモジュール２００が位置「Ｂ」に達すると、雄形及び雌形のラッチ機構２１８は互いに係合する。二つのモジュール２００の安定性が一旦確認されると、結合ロッド４０６はその引込み位置「Ｒ」まで戻り、そして、位置「Ａ」まで戻る。その後、結合ロッド４０６は下方モジュールと係合し、両方のモジュールを引上げる。引上げ装置が位置「Ｃ」に達すると、上述の段階が引き続くモジュールについて繰返される。全てのモジュールが一旦所定の位置になると、必要な接続がなされ、別の装置が必要に応じて掘削装置へ装着可能になる。
【００１８】
このように、好ましい掘削装置は、専用クレーンを必要とすることなく、最小の人力介入で建設できることが分るであろう。また、従来の掘削装置では海洋掘削作業架台の甲板を占有していた装置がここでは掘削装置自体内に収納されることも分るであろう。このように、好ましい掘削装置の比較的小さい「占有面積」は他の海洋作業用の有用な甲板空間を自由にする。更に、この小さい「占有面積」は多数の掘削作業架台の中に配置するべく好ましい掘削装置を可能にする。また、好ましい掘削装置には、掘削装置の殆ど無人での組立を可能にするセンサ、ビデオカメラ、遠隔制御装置及び他のシステムが取付けられることが意図される。さらに、掘削装置のモジュール特性、持上げ機構及び装置のモジュール内への事前設置によって、好ましい掘削装置が従来技術の掘削装置よりもかなり短い時間で建設できる。
【００１９】
本発明の好ましい実施形態を示し説明してきたが、本発明の精神及び開示内容から逸脱することなく当業者によって変更できよう。ここで説明された実施形態は、単なる例であり、限定されるものではない。このシステム及び装置の多くの変形及び変更は可能であり、本発明の範囲内にある。したがって、保護の範囲は、ここで説明された実施形態に限定されず、特許請求範囲によってのみ限定され、その範囲は特許請求範囲の内容の全ての同等物を含むものとする。
【図面の簡単な説明】
【図１】
自己組立式掘削装置の好ましい実施形態の斜視図である。
【図２Ａ】
好ましい掘削装置に使用されるモジュールの実施形態の斜視図である。
【図２Ｂ】
好ましい掘削装置に使用されるモジュールの実施形態の側面図である。
【図３】
好ましい掘削装置に使用される引上げ装置の実施形態の切断端面図である。
【符号の説明】
２００  モジュール
２０２  後部フレーム
２０４  上部フレーム
２０６  下部フレーム
２０８  内側フレーム
２１０  側面フレーム
２２０  雌形接続部材
２２２  雄形接続部材
３００  レール
４００  ジャッキ
４０２  ハウジング
４０４  引上げ装置
４０６  結合ロッド
【国際公開パンフレット】
2004530816.tif 000003
2004530816.tif 000004
2004530816.tif 000005
2004530816.tif 000006
2004530816.tif 000007
2004530816.tif 000008
2004530816.tif 000009
2004530816.tif 000010
2004530816.tif 000011
2004530816.tif 000012
2004530816.tif 000013
2004530816.tif 000014
2004530816.tif 000015
2004530816.tif 000016
2004530816.tif 000017
【国際公開パンフレット（コレクトバージョン）】
2004530816.tif 000018
2004530816.tif 000019
【国際調査報告】
2004530816.tif 000020